(57)【要約】【課題】遊技盤を複数の分割盤で構成するものでありながら、遊技盤の上下寸法及び左右寸法が変更されても、少なくとも左右一対の分割盤において汎用性を確保することにより、汎用分割盤の大量生産を可能にし、遊技盤全体の製造コストを削減する。【解決手段】多数の遊技釘１７が立設される遊技盤４を備え、該遊技盤面に遊技球を発射して遊技されるパチンコ遊技機１であって、遊技盤４は、複数の分割盤２１〜２３により構成されており、これらの分割盤２１〜２３には、遊技盤４の上下寸法Ｈ１及び左右寸法Ｗ１に応じて寸法設定される非汎用分割盤２１と、遊技盤４の上下寸法Ｈ１及び左右寸法Ｗ１に拘わらず汎用的に用いられる左右一対の汎用分割盤２２、２３とが含まれる。【選択図】図７
2008099954.tif 000002
【特許請求の範囲】
【請求項１】
多数の遊技釘が立設される遊技盤を備え、該遊技盤面に遊技球を発射して遊技される弾球遊技機であって、
前記遊技盤は、複数の分割盤により構成され、
前記分割盤には、
前記遊技盤の上下寸法及び左右寸法に応じて寸法設定される非汎用分割盤と、
前記遊技盤の上下寸法及び左右寸法に拘わらず汎用的に用いられる左右一対の汎用分割盤と、が含まれる
ことを特徴とする弾球遊技機。
【請求項２】
前記非汎用分割盤は、少なくとも前記遊技盤の上部左隅部及び上部右隅部を形成し、
左側の前記汎用分割盤は、少なくとも前記遊技盤の下部左隅部を形成し、
右側の前記汎用分割盤は、少なくとも前記遊技盤の下部右隅部を形成し、
左右の前記汎用分割盤は、前記遊技盤の左右寸法に応じて左右幅が変化する隙間を介して左右に配置され、
前記隙間は、大入賞口及びアウト口を形成する非汎用部品によって覆われる
ことを特徴とする請求項１記載の弾球遊技機。
【請求項３】
前記非汎用分割盤と前記汎用分割盤と間には、互いの位置を規定する位置決め部が形成されていることを特徴とする請求項１又は２記載の弾球遊技機。
【発明の詳細な説明】
【技術分野】
【０００１】
本発明は、パチンコ遊技機等の弾球遊技機に関し、詳しくは、遊技盤を複数の分割盤で構成した弾球遊技機に関する。
【背景技術】
【０００２】
近年、弾球遊技機に設けられる遊技盤を、複数の分割盤を連結して構成することが提案されている。例えば、特許文献１には、異なる機種の遊技盤において汎用性がある汎用分割盤と、汎用性のない非汎用分割盤とを連結した遊技盤が開示されている。具体的に説明すると、特許文献１の遊技盤は、遊技盤の上部を形成する上部分割盤と、遊技盤の上下中間部を形成する中間分割盤と、遊技盤の下部を形成する下部分割盤とからなり、そして、汎用性のある分割盤を大量生産することによって、遊技盤全体の製造コストを削減することが可能になる。
【特許文献１】特開平２００３−２９０４５７号公報
【発明の開示】
【発明が解決しようとする課題】
【０００３】
ところで、近年の弾球遊技機では、可変表示装置（液晶パネル、ドラムユニット等）の大型化に伴い、遊技盤も大型化してきている。このような遊技盤の大型化は、上下寸法及び左右寸法を大きくすることにより実現されるようになっている。
このような現実を勘案すると、特許文献１に開示された遊技盤の分割構造では、遊技盤の左右寸法が大きいものとなった場合に、全ての分割盤が汎用性を失ってしまうという問題がある。
本発明の目的は、遊技盤を複数の分割盤で構成するものでありながら、遊技盤の上下寸法及び左右寸法が変更されても、少なくとも左右一対の分割盤において汎用性を確保することにより、汎用分割盤の大量生産を可能にし、遊技盤全体の製造コストを削減することにある。
【課題を解決するための手段】
【０００４】
本発明は、上記の如き実情に鑑みこれらの課題を解決することを目的として創作されたものであって、多数の遊技釘が立設される遊技盤を備え、該遊技盤面に遊技球を発射して遊技される弾球遊技機であって、前記遊技盤は、複数の分割盤により構成され、前記分割盤には、前記遊技盤の上下寸法及び左右寸法に応じて寸法設定される非汎用分割盤と、前記遊技盤の上下寸法及び左右寸法に拘わらず汎用的に用いられる左右一対の汎用分割盤と、が含まれることを特徴とする。このようにすると、遊技盤を複数の分割盤で構成するものでありながら、遊技盤の上下寸法及び左右寸法が変更されても、少なくとも左右一対の分割盤において汎用性を確保することができるので、汎用分割盤の大量生産により、遊技盤全体の製造コストを削減できる。
また、前記非汎用分割盤は、少なくとも前記遊技盤の上部左隅部及び上部右隅部を形成し、左側の前記汎用分割盤は、少なくとも前記遊技盤の下部左隅部を形成し、右側の前記汎用分割盤は、少なくとも前記遊技盤の下部右隅部を形成し、左右の前記汎用分割盤は、前記遊技盤の左右寸法に応じて左右幅が変化する隙間を介して左右に配置され、前記隙間は、大入賞口及びアウト口を形成する非汎用部品によって覆われることを特徴とする。このようにすると、三つの分割盤で遊技盤を構成することができるだけでなく、左右の汎用分割盤の隙間を、非汎用部品（大入賞口及びアウト口の形成部品）で覆うことにより、専用のカバー部材を不要にし、遊技盤全体の製造コストをさらに削減することが可能になる。
また、前記非汎用分割盤と前記汎用分割盤と間には、互いの位置を規定する位置決め部が形成されていることを特徴とする。このようにすると、非汎用分割盤と汎用分割盤の連結作業が容易になるだけでなく、連結時の位置決め精度を向上させることができる。
【発明の効果】
【０００５】
以上のような本発明によれば、遊技盤を複数の分割盤で構成するものでありながら、遊技盤の上下寸法及び左右寸法が変更されても、少なくとも左右一対の分割盤において汎用性を確保することができるので、汎用分割盤の大量生産により、遊技盤全体の製造コストを削減できる。
【発明を実施するための最良の形態】
【０００６】
［パチンコ遊技機の基本構成］
次に、本発明の実施形態について、図面に基づいて説明する。図１及び図２において、１はパチンコ遊技機（弾球遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、遊技球を用いたパチンコ遊技が可能になる。
【０００７】
パチンコ遊技機１の正面部は、遊技球が発射される遊技盤４と、その前方を覆う開閉自在なガラス枠５と、遊技球を貯留する上皿６と、上皿６の余剰球を貯留する下皿７と、遊技球の発射操作を行う発射ハンドル８と、台間玉貸機３に遊技球の貸出指示を行う貸出操作部９と、効果音を出力するスピーカ１０と、遊技者によって操作される演出用の操作スイッチＳとを備えており、また、パチンコ遊技機１の背面部は、払出用の遊技球を貯留する遊技球タンク１１と、遊技球タンク１１内の遊技球を上皿６に払い出す賞球払出装置１２と、遊技球を発射する発射モータ１３と、各種の基板とを備えている。
【０００８】
図３に示すように、遊技盤４には、始動口１４、大入賞口１５、入賞口（図示せず）、ゲート（図示せず）、アウト口１６、遊技釘１７などが配置されており、遊技盤４に発射された遊技球は、遊技釘１７によって各口１４〜１６に誘導される。また、遊技盤４には、特別図柄表示装置１８、演出図柄表示装置１９、普通図柄表示装置２０などの表示装置が配置されている。特別図柄表示装置１８は、特別図柄を形式的に変動表示する表示装置であり、例えば、７セグＬＥＤや複数のＬＥＤで構成される。演出図柄表示装置１９は、特別図柄に対応した演出図柄を変動表示する表示装置であり、例えば、液晶パネル、リールユニットなどで構成され、演出図柄変動表示の他、リーチ予告演出表示、スーパーリーチ演出表示、大当り演出表示などを行う。
【０００９】
［パチンコ遊技機の基本動作］
上皿６に遊技球が貯留された状態で発射ハンドル８を回し操作すると、遊技盤４に向けて遊技球が発射される。発射された遊技球が始動口１４や入賞口（図示せず）に入賞した場合は、所定個数の遊技球が賞球として払い出される。また、遊技球がゲート（図示せず）を通過したときは、普通図柄表示装置２０において普通図柄の変動表示が行われ、その停止図柄が所定の当り図柄である場合は、始動口１４に設けられる普通電動役物１４ａが所定時間にわたって開放動作される。
【００１０】
また、遊技球が始動口１４に入賞したときは、特別図柄表示装置１８及び演出図柄表示装置１９において特別図柄及び特別図柄に係る演出図柄の変動表示が行われ、これらの図柄が予め決められた当り配列で停止すると、遊技者が多くの遊技球を獲得可能な大当りモードとなる。すなわち、大当りモードでは、大入賞口１５に設けられる特別電動役物１５ａの開放動作が行われるようになっており、この開放動作は、所定時間の経過（例えば、３０秒）又は所定個数の入賞（例えば、１０球）を１ラウンドとし、所定のラウンド数（例えば、１５ラウンド）に亘って繰り返されるようになっている。
【００１１】
［遊技盤の分割構造］
次に、本発明の要部である遊技盤４の分割構造について、図４〜図７を参照して説明する。これらの図に示すように、遊技盤４は、複数の分割盤２１〜２３を連結することにより構成されるようになっている。各分割盤２１〜２３は、ラワン材、ベニア合板等の木質系板材からなり、前面には、セルロイド板などの化粧シートが貼着されるようになっている。分割盤２１〜２３の連結工程と化粧シートの貼着工程は、いずれが先に行われてもよいが、分割盤２１〜２３を連結した後、その前面全体に一枚の化粧シートを貼着すれば、分割盤２１〜２３の継ぎ目を隠せるという利点がある。
【００１２】
分割盤２１〜２３には、遊技盤４の上下寸法Ｈ１及び左右寸法Ｗ１に応じて寸法が設定される非汎用分割盤２１と、遊技盤４の上下寸法Ｈ１及び左右寸法Ｗ１に拘わらず汎用的に用いられる左右一対の汎用分割盤２２、２３とが含まれている。
非汎用分割盤２１は、遊技盤４の中央部、上部左隅部及び上部右隅部を形成するようになっており、中央部には、演出図柄表示装置１９を取り付けるための取付孔２１ａや、始動口１４（普通電動役物１４ａ）を取り付けるための取付孔２１ｂが形成されている。
【００１３】
左側の汎用分割盤２２は、遊技盤４の下部左隅部を形成するようになっており、上端面２２ａが非汎用分割盤２１の左側下端面２１ｃに当接し、かつ、外端面２２ｂが非汎用分割盤２１の左側外端面２１ｄに一致する状態で、非汎用分割盤２１に連結されるようになっている。また、右側の汎用分割盤２３は、遊技盤４の下部右隅部を形成するようになっており、上端面２３ａが非汎用分割盤２１の右側下端面２１ｅに当接し、かつ、外端面２３ｂが非汎用分割盤２１の右側外端面２１ｆに一致する状態で、非汎用分割盤２１に連結されるようになっている。
なお、非汎用分割盤２１と汎用分割盤２２、２３の連結方法に制限はない。例えば、連結金具を用いる方法、接着による方法などが挙げられる。
【００１４】
上記のように左右の汎用分割盤２２、２３を非汎用分割盤２１に連結すると、左右の汎用分割盤２２、２３の間には、所定の左右幅Ｗ２を有する隙間Ｓが形成される。この隙間Ｓの左右幅Ｗ２は、図７に示すように、遊技盤４の左右寸法Ｗ１に応じて変化するようになっており、言い換えれば、遊技盤４の左右寸法Ｗ１の違いを隙間Ｓで吸収するようになっている。つまり、左側の汎用分割盤２２の左右寸法をＷ３、右側の汎用分割盤２３の左右寸法をＷ４とすると、隙間Ｓの左右幅Ｗ２は、下記の式で求められるものであり、遊技盤４の左右寸法Ｗ１に応じて変化することがわかる。
Ｗ２＝Ｗ１−（Ｗ３＋Ｗ４）
【００１５】
上記の隙間Ｓは、任意の部材で覆うことが可能であるが、本実施形態のように、大入賞口１５（特別電動役物１５ａ）及びアウト口１６を形成する非汎用部品２４で覆うようにすることが好ましい。具体的に説明すると、非汎用部品２４は、図５及び図６に示すように、大入賞口１５を形成する大入賞口部２４ａの下側に、アウト口１６を形成するアウト口部２４ｂを一体的に延設したものである。
大入賞口部２４ａは、遊技盤４の表裏に通じる遊技球経路（大入賞口１５）を形成しており、また、遊技球経路の前端を開閉する特別電動役物１５ａと、遊技球経路の終端部で遊技球の通過を検出する大入賞口スイッチ２５とが組み込まれている。
【００１６】
アウト口部２４ｂは、正面から見て長方形であり、遊技盤４の表裏に通じる遊技球経路（アウト口１６）を形成している。また、アウト口部２４ｂの左右両側部には、左右の汎用分割盤２２、２３の内端面２２ｃ、２３ｃが当接する当接面２４ｃが形成されている。そして、左右の当接面２４ｃ間の距離は、前述した隙間Ｓの左右幅Ｗ２に対応して設定されるようになっている。これにより、非汎用部品２４は、左右寸法Ｗ１が相違する遊技盤４において汎用的に用いることが困難となっている。
【００１７】
ところで、本実施形態の遊技盤４では、非汎用分割盤２１と左右の汎用分割盤２２、２３との当接面、すなわち非汎用分割盤２１の下端面２１ｃ、２１ｅ及び汎用分割盤２２、２３の上端面２２ａ、２３ａが、左上がり、又は右上がりの傾斜面となっており、正規の連結位置でなくとも当接可能となっている。したがって、非汎用分割盤２１と汎用分割盤２２、２３の連結作業においては、別途位置決めが必要となるが、本実施形態においては、非汎用分割盤２１と汎用分割盤２２、２３と間に、互いの位置を規定する位置決め部２１ｇ、２２ｄ、２３ｄを形成することにより、非汎用分割盤２１と汎用分割盤２２、２３の連結作業が容易になるとともに、連結時の位置決め精度を向上させることができる。また、本実施形態の位置決め部２１ｇ、２２ｄ、２３ｄは、非汎用分割盤２１と左右の汎用分割盤２２、２３との傾斜当接面の一端部に形成された水平面からなり、その形状が極めて簡略であるため、凹凸嵌合による位置決め構造などに比べ、低コストで実現することができる。
【００１８】
叙述の如く構成された本実施形態によれば、多数の遊技釘１７が立設される遊技盤４を備え、該遊技盤面に遊技球を発射して遊技されるパチンコ遊技機１であって、遊技盤４は、複数の分割盤２１〜２３により構成されており、これらの分割盤２１〜２３には、遊技盤４の上下寸法Ｈ１及び左右寸法Ｗ１に応じて寸法設定される非汎用分割盤２１と、遊技盤４の上下寸法Ｈ１及び左右寸法Ｗ１に拘わらず汎用的に用いられる左右一対の汎用分割盤２２、２３とが含まれるので、遊技盤４を複数の分割盤２１〜２３で構成するものでありながら、遊技盤４の上下寸法Ｈ１及び左右寸法Ｗ１が変更されても、少なくとも左右一対の分割盤２２、２３において汎用性を確保することができ、その結果、汎用分割盤２２、２３の大量生産により、遊技盤全体の製造コストを削減できる。
【００１９】
また、非汎用分割盤２１は、少なくとも遊技盤４の上部左隅部及び上部右隅部を形成し、左側の汎用分割盤２２は、少なくとも遊技盤４の下部左隅部を形成し、右側の汎用分割盤２３は、少なくとも遊技盤４の下部右隅部を形成し、左右の汎用分割盤２２、２３は、遊技盤４の左右寸法Ｗ１に応じて変化する隙間Ｓを介して左右に配置され、隙間Ｓは、大入賞口１５及びアウト口１６を形成する非汎用部品２４によって覆われるので、三つの分割盤２１〜２３で遊技盤４を構成することができるだけでなく、左右の汎用分割盤２２、２３の隙間Ｓを、非汎用部品２４で覆うことにより、専用のカバー部材を不要にし、遊技盤全体の製造コストをさらに削減することが可能になる。
【００２０】
また、非汎用分割盤２１と汎用分割盤２２、２３と間には、互いの位置を規定する位置決め部２１ｇ、２２ｄ、２３ｄが形成されているので、非汎用分割盤２１と汎用分割盤２２、２３の連結作業が容易になるだけでなく、連結時の位置決め精度を向上させることができる。
【図面の簡単な説明】
【００２１】
【図１】パチンコ遊技機の正面図である。
【図２】パチンコ遊技機の背面図である。
【図３】遊技盤の正面図である。
【図４】遊技盤の分割構造を示す正面図である。
【図５】非汎用部品の斜視図である。
【図６】（Ａ）は非汎用部品の正面図、（Ｂ）はＡ−Ａ断面図である。
【図７】（Ａ）は小型遊技盤に適用した例を示す遊技盤の正面図、（Ｂ）は大型遊技盤に適用した例を示す遊技盤の正面図である。
【符号の説明】
【００２２】
１    パチンコ遊技機
４    遊技盤
１５  大入賞口
１６  アウト口
１７  遊技釘
２１  非汎用分割盤
２２  汎用分割盤
２３  汎用分割盤
２４  非汎用部品
Ｓ    隙間
【図１】
2008099954.tif 000003
【図２】
2008099954.tif 000004
【図３】
2008099954.tif 000005
【図４】
2008099954.tif 000006
【図５】
2008099954.tif 000007
【図６】
2008099954.tif 000008
【図７】
2008099954.tif 000009